(57)【要約】  手持ち型プリンタ／スキャナ装置とホストとして作用するバーコードプリンタをペア（対）にする方法が開示される。このペアリングは、ホストバーコードプリンタの機能性をさらに高めるであろう。具体的に言えば、ペアリングプロセスは、手持ち型プリンタ／スキャナ装置を必要とするプリンタプロセスが開始されたときに開始される。この方法により、手持ち型プリンタ／スキャナ装置がホストバーコードプリンタへの印刷を行うことができ、そしてまた、ホストバーコードプリンタが受け取った食品のケースラベルのバーコードスキャンを受け取り、そして食品鮮度ラベルの将来の印刷のためにバーコードスキャンからの情報を保持することができる。
2020504950.tif 000002
【特許請求の範囲】
【請求項１】
ホストバーコードプリンタと手持ち型プリンタ／スキャナ装置をペア（対）にする方法であって、
前記ホストバーコードプリンタの電源を入れるステップと、
前記ホストバーコードプリンタとの装置ペアリングを利用するアプリケーションを開始させるステップと、
前記手持ち型プリンタ／スキャナ装置の電源を入れるステップと、
前記ホストバーコードプリンタと前記手持ち型プリンタ／スキャナ装置の両方へのブルートゥース（登録商標）接続性をイネーブルにするステップと、
前記ホストバーコードプリンタへの接続をイネーブルにして前記手持ち型プリンタ／スキャナ装置を捜すステップと、
前記手持ち型プリンタ／スキャナ装置のアドレスが発見されたかどうかを確かめるようチェックするステップと、
前記アドレスが発見された場合、ペアにされるべき前記手持ち型プリンタ／スキャナ装置を選択するステップと、
ＰＩＮコードを入力するステップと、
前記ＰＩＮコードが有効である場合、前記手持ち型プリンタ／スキャナ装置を首尾よくペアにし、そしていつでも印刷できるようにし、そして前記方法を終了させるステップとを含む、方法。
【請求項２】
前記装置ペアリングを利用する前記アプリケーションは、食品提供サービスのための受け入れプロセスアプリケーションである、請求項１記載の方法。
【請求項３】
前記ブルートゥース（登録商標）がイネーブルではない場合、前記ブルートゥース（登録商標）をイネーブルにするとともに前記手持ち型プリンタ／スキャナ装置の電源を切り、それにより前記方法をやり直すステップをさらに含む、請求項１記載の方法。
【請求項４】
前記ＰＩＮコードが有効ではない場合、ユーザを促して前記ＰＩＮコードを再入力するステップをさらに含む、請求項１記載の方法。
【請求項５】
前記ペアリングが前記ホストバーコードプリンタと前記手持ち型プリンタ／スキャナとの間でいったん完了すると、前記受け入れアプリケーションをイネーブルにして受け入れ操作を完了させるステップをさらに含む、請求項１記載の方法。
【請求項６】
ケースが受け入れドアを通って受け入れられたとき、前記手持ち型プリンタ／スキャナ装置を用いて前記ケースラベルをスキャンする、請求項１記載の方法。
【請求項７】
前記手持ち型プリンタ／スキャナ装置は、アプリケーションを実行している前記ホストバーコードプリンタに前記ケースラベルからの情報を送り戻す、請求項６記載の方法。
【請求項８】
前記アプリケーションは、前記バーコードからロットコードおよび賞味期限の日付を取り出す、請求項７記載の方法。
【請求項９】
前記ロットコードおよび前記賞味期限の日付は、食品が低温貯蔵庫か乾式貯蔵庫かのいずれかから取り出されたときに食品鮮度ラベル上に印刷される、請求項８記載の方法。
【請求項１０】
ホストバーコードプリンタを手持ち型プリンタ／スキャナ装置とペア（対）にした後に完了させる受け入れ方法であって、
前記手持ち型プリンタ／スキャナ装置でケースラベルをスキャンするステップを含み、
スキャンしたデータを前記ホストバーコードプリンタに送るステップを含み、前記ホストバーコードプリンタにおいて、前記スキャンされたデータは、ベンダー、商品番号、ロットまたはシリアルナンバー、および賞味期限の日付を得るためにアプリケーションプログラムによって処理され、
ラベルを印刷する際に前記データを前記ホストバーコードプリンタによって用いて食品のロットナンバーまたはシリアルナンバーおよび消費期限の日付を識別するステップを含む、受け入れ方法。
【請求項１１】
ケースを開封するステップと、
前記ホストバーコードプリンタを内パックラベルについて促すステップと、
イエスであれば、前記商品が食品調理のために食品貯蔵庫から取り出されたときにスキャンできる重要なデータ要素およびバーコードをラベルに印刷して施すステップと、
より多くの内パックラベルが必要であるかどうかを判定するステップと、
前記方法をカートンが空になるまで続行するステップとをさらに含む、請求項１０記載の受け入れ方法。
【請求項１２】
前記カートンについて内パックが存在しない場合、クリティカルトラッキングイベントについて必要な前記重要なデータ要素を含む前記カートンについて受け入れラベルを印刷するステップをさらに含む、請求項１１記載の受け入れ方法。
【請求項１３】
低温貯蔵庫の必要性を判定して前記受け入れられた商品の適正な貯蔵方法を決定するステップさらに含む、請求項１０記載の受け入れ方法。
【請求項１４】
前記判定は、ユーザまたは前記ホストバーコードプリンタ上の前記アプリケーションプログラムによって行われる、請求項１３記載の受け入れ方法。
【請求項１５】
前記受け入れられた商品が低温貯蔵庫内に属していない場合、前記内パックまたはケースを乾式貯蔵庫内に配置するステップを含む、請求項１４記載の受け入れ方法。
【請求項１６】
ユーザを促して別のケースを受け入れるステップをさらに含む、請求項１５記載の受け入れ方法。
【請求項１７】
別のケースが存在する場合、前記方法は、開始に戻ってやり直しが行われるステップを含む、請求項１６記載の受け入れ方法。
【請求項１８】
別のケースが存在しない場合、前記方法が終了するステップを含む、請求項１６記載の受け入れ方法。
【請求項１９】
低温貯蔵庫の商品を受け入れる場合、前記受け入れられた商品が冷蔵下または凍結下で貯蔵されているかどうかを判定するステップを含む、請求項１４記載の受け入れ方法。
【請求項２０】
前記方法が続行し、より多くのケースが受け入れられるかどうかを判定するステップを含む、請求項１９記載の受け入れ方法。
【発明の詳細な説明】
【技術分野】
【０００１】
本発明は、一般に、手持ち型プリンタ／スキャナ装置に対するホストとして働く食品鮮度バーコードプリンタまたはスマートプリンタに関する。特に、本発明は、手持ち型プリンタ／スキャナ装置と、ホストとして働くバーコードプリンタをペア（対）にする方法に関し、この方法は、ホストプリンタの機能性を高めるであろう。
【背景技術】
【０００２】
バーコードプリンタは、物理的物体に取り付けることができるまたはこれに物理的物品に直接印刷することができるバーコードラベルまたはタグを印刷するためのコンピュータ周辺装置である。バーコードプリンタは、一般に、出荷前にカートンをラベル表示しまたは小売商品をＵＰＣまたはＥＡＮでラベル表示するために用いられる。最も一般的なバーコードプリンタは、２つの互いに異なる印刷技術のうちの一方を採用している。直接サーマル（感熱式）プリンタは、熱を発生させるためにプリントヘッドを用いており、かかる熱により、特別に設計された紙に化学反応が生じそれにより紙が黒に変色する。熱転写プリンタもまた、熱を用いるが、かかる熱は、紙を反応させるのではなく、ラベルまたはタグ材料上を走行するリボン上の蝋状のまたは樹脂物質を溶融する。熱によりインキがリボンから紙に転写される。
【０００３】
バーコードプリンタは、種々の市場向きに設計されている。工業用バーコードプリンタは、大型倉庫、製造施設、および食品施設で用いられている。これらバーコードプリンタは、大給紙容量を有し、迅速に動作し、そして長い有効寿命を有する。小売店およびオフィス環境に関しては、デスクトップ型バーコードプリンタが最も一般的である。
【０００４】
さらに、伝統的な食品調理および食品提供分野または他の適当な分野では、食品鮮度バーコードプリンタが設置される。これらの分野においては、非技術系のユーザは、例えば内パックを受け入れること、内パックを潰すこと、原材料を片付けること、および食品安全性にとって必要な情報を維持することなどの仕事を完了させることが要求される。かくして、サプライチェーン可視性に関する新たな取り組みをサポートする情報に関する要件および食品提供サービス生産履歴管理要件が増大しているので、これら目的をサポートするために店舗内における食品鮮度バーコードプリンタの役割を拡張することが望ましい。
【０００５】
かくして、例えばホストプリンタをイネーブルにしてケースラベルのバーコードスキャンを受け取って将来のラベル印刷使用のための情報を保持することによって、鮮度ラベルを印刷して手持ち型プリンタ／スキャナ装置の作動を向上させるために利用される食品鮮度バーコードプリンタまたはスマートセンサが要望されている。本発明は、手持ち型プリンタ／スキャナ装置とホストプリンタの機能性を高めるホストとしての役割を果たすバーコードプリンタをペアにする方法を開示する。
【発明の概要】
【０００６】
以下の説明は、開示した本発明のいくつかの観点の基本的な理解を提供するために単純化された発明の概要を提供している。この発明の概要は、多岐にわたる概観ではなく、重要な／重大な要素を識別しまたはその範囲を画定するようにはなっていない。その唯一の目的は、いくつかの概念を後で行うより詳細な説明の前置きとして単純化された形態で提供することにある。
【０００７】
本明細書において開示されるとともにクレーム請求される発明は、その一観点において、手持ち型プリンタ／スキャナ装置とホストとしてのバーコードプリンタをペアにする方法を含む。ペアリングは、ホストバーコードプリンタの機能性をさらに高めるであろう。具体的に言えば、ペアリング方法は、手持ち型プリンタ／スキャナ装置を必要とするプリンタプロセスが開始されたときに開始される。例示目的のため、本明細書は、レストランに食品を受け入れさせる特定の用途を用いるが、ただし、この方法を当該技術分野において知られている他の用途に利用できる。
【０００８】
好ましい実施形態では、この方法により、手持ち型プリンタ／スキャナ装置がホストバーコードプリンタに例えば食品鮮度ラベルおよび他の類似のラベルを印刷することができる。また、この方法により、ホストバーコードプリンタは、受け入れた食品または他の商品のケースラベルのバーコードスキャンを受け取って当該技術分野において知られている食品鮮度ラベルおよび他のラベルの将来の印刷のためのバーコードスキャンからの情報を保持することができる。
【０００９】
上述の目的および関連の目的を達成するため、本発明のある特定の例示の観点を以下の説明および添付の図面と関連して説明する。しかしながら、これら観点は、本明細書において開示する原理を採用することができる種々の方法のうちのほんの幾つかを示しており、かかる全ての観点およびこれらの均等例を含むものである。他の利点および他の新規な特徴は、図面と関連して考慮されると以下の詳細な説明から明かになろう。
【図面の簡単な説明】
【００１０】
【図１】開示したアーキテクチャによるバーコードプリンタの前から見た斜視図である。
【図２】開示したアーキテクチャによる手持ち型プリンタ／スキャナ装置の後ろから見た斜視図である。
【図３】開示したアーキテクチャによる互いに近接して位置するバーコードプリンタと手持ち型プリンタ／スキャナ装置の平面図である。
【図４】開示したアーキテクチャによるバーコードプリンタの流れ図である。
【図５】開示したアーキテクチャによる手持ち型プリンタ／スキャナ装置の流れ図である。
【図６】開示したアーキテクチャによるケースラベルの正面図である。
【図７】開示したアーキテクチャによるバーコードプリンタと手持ち型プリンタ／スキャナをペアにするための方法の流れ図である。
【図８】開示したアーキテクチャによる受け入れ方法の流れ図である。
【発明を実施するための形態】
【００１１】
次に、図面を参照して本発明を説明するが、図全体にわたり同一の参照符号は、同一の要素を意味するために用いられている。以下の説明において、説明の目的上、多くの特定の細部を記載するが、その目的は、これら徹底的な理解を提供することにある。しかしながら、本発明は、これら特定の細部なしで実施できることは明らかであると言える。他の場合、周知の構造および装置がこれらの説明を容易にするためにブロック図の形態で示されている。
【００１２】
手持ち型プリンタ／スキャナ装置とホストとして作用するバーコードプリンタをペア（対）にする方法が開示される。このペアリングは、ホストバーコードプリンタの機能性をさらに高めるであろう。具体的に言えば、本方法により、手持ち型プリンタ／スキャナ装置がホストバーコードプリンタへの印刷を行うことができ、そしてまた、ホストバーコードプリンタが受け取った食品のケースラベルのバーコードスキャンを受け取り、そして食品鮮度ラベルの将来の印刷のためにバーコードスキャンからの情報を保持することができる。
【００１３】
最初に図面を参照すると、図１は、本発明によるバーコードプリンタ１０を示しているが、任意適当なバーコードプリンタを当該技術分野において知られているように使用することができる。バーコードプリンタ１０は、バーコードおよび英数字情報を記録材のウェブ、例えば、タグ、ラベルなど上に印刷するサーマルプリントヘッド（図４において符号４２８および４３０で示されている）を有する。記録材のウェブのサプライは、直接印刷型のものであるのが良く、その結果、記録材は熱反応性物質で被覆された紙を含む。変形例として、バーコードプリンタ１０で用いられるサプライは、熱転写型のものであっても良く、この場合、カーボンリボンは、記録材上へのプリントを行うようプリントヘッドによって熱活性化される。プリントヘッドは、印刷のためにこれに加えられるエネルギーの量を制御するためにストローブ（strobe）される。特に、記録材上に１本の線を印刷するために電流がストローブ時間中、プリントヘッドに流される。
【００１４】
バーコードプリンタ１０は、周期的駆動信号に応答するステッパモータ（図４において符号４２４および４２６で示されている）などをさらに有し、この駆動信号の周期は、駆動信号の連続して並ぶまたは隣り合うパルスの前縁相互間の軸によって定められる。ステッパモータは、記録材のウェブを印刷のために印刷ヘッド越しに前進させるよう駆動信号に応答する。駆動信号は、ステッパモータの速度を制御し、それによりバーコードプリンタ１０の印刷速度を制御する。
【００１５】
コントローラ（図４において符号４３２で示されている）がバーコードプリンタ１０の作動を制御するようメモリ内に記憶されたソフトウェアルーチンに従って動作するマイクロプロセッサ４２０などを有する。例えば、符号４１２、４１４、４１６および４１８（図４参照）で示されている多くのセンサ、モニタ、検出器などがプリントヘッドの抵抗、バーコードプリンタのコントラスト設定値、プリントヘッドが取り付けられているヒートシンクの温度およびバーコードプリンタ１０に電力供給するバッテリの電圧を含むバーコードプリンタ１０の作動条件をモニタする。プリントヘッド抵抗、コントラスト設定値、ヒートシンク温度、バッテリ電圧ならびに所望ならば他の作動変数の測定された値は、印刷速度制御を実施するときにマイクロプロセッサによって利用される。
【００１６】
さらに、バーコードプリンタ１０は、代表的には、食品提供サービス作業領域内に配置されるが、当該技術分野で知られているように任意適当な領域内に設置可能である。バーコードプリンタ１０は、ブルートゥース（登録商標）（Bluetooth）（登録商標）準拠デバイス２０を含み、このブルートゥース（登録商標）準拠デバイスは、符号２１で示されている少なくとも１つの８０２．１１ａ／ｂ／ｅ／ｇアンテナおよび少なくとも１つのＵＳＢデバイスポート２２をさらに含むが、任意適当な数のアンテナおよびＵＳＢデバイスポートをユーザの要望および必要性に応じて当該技術分野において知られているように利用できる。バーコードプリンタ１０は、少なくとも２つのステーション埋め込み型プリンタ３０，４０を更に有するが、ユーザの要望および必要に応じて当該技術分野で知られているように任意適当な数のステーション埋め込み型プリンタを利用することができる。これらステーション埋め込み型プリンタ３０，４０は、種々のサプライサイズで入手できる。最後に、バーコードプリンタ１０は、ユーザディスプレイ５０またはモニタを有する。
【００１７】
全体として図２を参照すると、開示した食品鮮度バーコードプリンタもしくは任意他の適当なバーコードプリンタまたはスマートプリンタは、手持ち型プリンタ／スキャナ装置２１０とペアにされる。手持ち型プリンタ／スキャナ装置２１０は、符号２３０で示されてたブルートゥース（登録商標）イネーブル型であり、この手持ち型プリンタ／スキャナ装置は、電力スイッチ２２０ならびに当該技術分野において知られている任意他の必要なメカニクスおよび機能性を有する。
【００１８】
図３は、プリンタ１０，２１０の両方が設置される食品提供サービス施設のための食品調理領域の代表的なレイアウトを示している。図３に示されているように、受け入れドア３１０は、低温貯蔵商品と乾式貯蔵商品の両方が処理される場所である。乾式貯蔵領域内には乾式貯蔵庫を置くための棚ユニット３２０およびワークステーション３３０が設けられている。また、食品鮮度ホストプリンタ１０が設置される別のワークステーションが符号３４０のところに示されている。低温貯蔵庫が符号３６０のところに示され、スイングドア３７０が顧客サービス領域に通じている。さらに、手持ち型の携帯可能なプリンタ／スキャナ装置２１０が符号３５０のところに示されている。手持ち型の携帯可能なプリンタ／スキャナ装置２１０は、食品鮮度ホストプリンタ１０とペアにされ、それにより、手持ち型の携帯可能なプリンタ／スキャナ装置２１０は、食品鮮度ホストプリンタ１０が食品提供施設内に配置されているところではどこでも、食品鮮度ホストプリンタ１０から印刷することができる。
【００１９】
図４は、バーコードおよび英数字情報を印刷するためのサーマルプリントヘッド４１２を有するバーコードプリンタ４１０（図１において符号１０としても示されている）を示している。プリントヘッド抵抗４１２は、印刷のために加えられるエネルギーの量を制御するためにストローブされまたは加熱される。このエネルギーは、符号４１６のところに示されたヒートシンクによって定められる印刷の熱に基づいて変えられる。コントラスト設定値４１４もまた、ストローブの長さに影響を及ぼす。バーコードプリンタ４１０は、２つのステッパモータ４２４，４２６をさらに有する。ＭＰＵ４２０によって制御されるステッパモータ４２４は、印刷のために記録材のウェブをプリントヘッド４２８越しに前進させる。加うるに、ＭＰＵ４２０によって制御されるステッパモータ４２６は、印刷のために記録材のウェブをプリントヘッド４３０越しに前進させる。
【００２０】
バーコードプリンタ４１０は、コントローラ４３２をさらに有し、このコントローラは、バーコードプリンタ４１０の作動を制御するようメモリ４２２内に記憶されたソフトウェアルーチンに従って動作するマイクロプロセッサ４２０などを含む。本発明のソフトウェアは、代表的には、ユーザのリクエストに応じてカスタマイズ可能であり、それにより、ソフトウェアをユーザの要件に容易に合わせることができる。
【００２１】
例えば、符号４１２，４１４，４１６，４１８のところに示されている多くのセンサ、モニタ、検出器などは、プリントヘッド４２８，４３０の抵抗、バーコードプリンタのコントラスト設定値、符号４２８，４３０のところのヒートシンクの温度およびバーコードプリンタ４１０に電力供給するバッテリの電圧を含むバーコードプリンタ４１０の作動条件をモニタする。プリントヘッド抵抗、コントラスト設定値、ヒートシンク温度、バッテリ電圧ならびに所望ならば他の作動変数の測定された値は、印刷速度制御を実施するときにマイクロプロセッサによって利用される。
【００２２】
さらに、バーコードプリンタ４１０は、ブルートゥース（登録商標）準拠デバイス４３６を含み、このブルートゥース（登録商標）準拠デバイスは、少なくとも１つの８０２．１１ａ／ｂ／ｅ／ｇアンテナおよび少なくとも１つのＵＳＢデバイスポートを含む。バーコードプリンタ４１０は、ユーザディスプレイ４３４またはモニタをさらに有する。
【００２３】
図５は、バーコードプリンタ５１０（図２において符号２１０としても示されている）の制御盤を示している。この制御盤は、プリンタ４１０用の制御盤に小規模な変更を施したものであり、例えば、プリンタ５１０は、２つではなく１つのプリンタステーションを有する。プリンタ５１０は、バーコードおよび英数字情報を印刷するサーマルプリンタヘッド５２６をさらに有する。プリンタヘッド５２６は、印刷のために加えられるエネルギーの量を制御するためにストローブされまたは加熱される。このエネルギーは、符号５２６で示されたヒートシンクによって定められる印刷の熱に基づいて変えられる。コントラスト設定値５１４もまた、ストローブの長さに影響を及ぼす。
【００２４】
バーコードプリンタ５１０は、ステッパモータ５２４をさらに有する。ＭＰＵ５２０によって制御されるステッパモータ５２４は、印刷のために記録材のウェブをプリントヘッド５２６越しに前進させる。コントローラ５３４がバーコードプリンタ５１０の作動を制御するようメモリ５２２内に記憶されたソフトウェアルーチンに従って動作するマイクロプロセッサ５２０などを含む。本発明のソフトウェアは、代表的には、ユーザのリクエストに応じてカスタマイズ可能であり、それにより、ソフトウェアをユーザの要件に容易に合わせることができる。
【００２５】
例えば、符号５１２，５１４，５１６，５１８のところに示されている多くのセンサ、モニタ、検出器などは、プリントヘッド５２６の抵抗、バーコードプリンタのコントラスト設定値、符号５２６で示されたヒートシンクの温度およびバーコードプリンタ５１０に電力供給するバッテリの電圧を含むバーコードプリンタ５１０の作動条件をモニタする。プリントヘッド抵抗、コントラスト設定値、ヒートシンク温度、バッテリ電圧ならびに所望ならば他の作動変数の測定された値は、印刷速度制御を実施するときにマイクロプロセッサによって利用される。
【００２６】
さらに、バーコードプリンタ５１０は、ブルートゥース（登録商標）準拠デバイス５３０を含み、このブルートゥース（登録商標）準拠デバイスは、少なくとも１つの８０２．１１ａ／ｂ／ｅ／ｇアンテナおよび少なくとも１つのＵＳＢデバイスポートを含む。バーコードプリンタ５１０は、ユーザディスプレイ５３２またはモニタおよびスキャナ５２８をさらに有する。
【００２７】
プリンタ１０（符号４１０としても示されている）および２１０（符号５１０としても示されている）用の例示のケースラベルが図６に示されている。手持ち型プリンタ／スキャナ装置２１０は、ラベル上の符号６１０で示されているバーコードをスキャンする。このバーコードは、製造業者、商品番号、ロットナンバー、および賞味期限の日付を識別する一義的な識別情報で符号化される。ロットナンバーはまた、符号６２０のところに示された人間に解読可能な番号で指示され、賞味期限の日付は、符号６３０のところに示された人間に解読可能な番号で指示されている。手持ち型プリンタ／スキャナ装置２１０は、特定のアプリケーションを実行しているバーコードホストプリンタ１０にこの情報を送り戻す。アプリケーションは、バーコード６１０からロットナンバーおよび賞味期限の日付を取り出す。次に、このロットナンバーおよび賞味期限の日付を、食品が低温貯蔵庫か乾式貯蔵庫かのいずれかから取り出されたときに、食品鮮度ラベル上に印刷するのが良い。
【００２８】
しかしながら、ブルートゥース（登録商標）型プリンタが食品鮮度プリンタから印刷することができる前に、この装置をプリンタとペアにしなければならない。図７は、装置をペアにするのに必要な方法の概要を記載している。符号７０１のところで、本方法を開始させる。符号７０５のところでプリンタ１０の電源を入れ、アプリケーション選択スクリーンをディスプレイ５０上に表示させ、次に、デバイスペアリングを利用するアプリケーションを選択して開始させなければならない。この場合、このアプリケーションは、食品提供サービスアプリケーション用の受け入れ方法である。符号７１０のところで、手持ち型プリンタ／スキャナ装置２１０の電源を入れる。次に、ユーザは、ブルートゥース（登録商標）が符号７２０のところでターンオンされていることを確認する。ブルートゥース（登録商標）がイネーブルになっていない場合、ブルートゥース（登録商標）をイネーブルにし、そして符号７１５のところで手持ち型プリンタ／スキャナ装置２１０の電源を切り、本方法は、７１０に戻る。
【００２９】
ブルートゥース（登録商標）がイネーブルになっている場合、符号７２５のところで、ユーザは、プリンタ１０上の指令CONNECTIONS をタップし、所望の手持ち型プリンタ／スキャナ装置２１０を探す。ステップ７３０のところで、プリンタＭＡＣアドレスが発見されたかどうかが判定される。ノー（Ｎｏ）である場合、符号７３５のところで、ユーザは、「装置のためのスキャン」タブをタップし、本方法は、符号７３０に戻る。イエス（Ｙｅｓ）である場合、符号７４０のところで、所望の手持ち型プリンタ／スキャナ装置２１０（サーバントプリンタ）を選択してペアにし、ＰＩＮコードを入力する。ＰＩＮコードが有効である場合、符号７４５のところで、所望の手持ち型プリンタ／スキャナ装置２１０を連続的にペアにし、いつでも印刷ができるようにし、本方法を符号７５５のところで終了させる。ＰＩＮコードが有効ではない場合、符号７４５のところで、本方法は、ユーザが正しいＰＩＮコードを再入力するために符号７４０に戻る。
【００３０】
ペアリングがバーコードホストプリンタ１０と手持ち型プリンタ／スキャナ装置２１０との間でいったん完了すると、図８の流れ図に示されている受け入れアプリケーションをイネーブルにして受け入れ操作を完了させる。ケースが受け入れドアを通って受け入れられると、手持ち型プリンタ／スキャナ装置２１０に設けられているバーコードスキャナを用いて図８に指示されているようにケースラベルをスキャンする。上述したように、例示のケースラベルが図６に示されている。手持ち型プリンタ／スキャナ装置２１０は、特定のアプリケーションを実行しているバーコードホストプリンタ１０にこの情報を送り戻す。アプリケーションは、バーコード６１０からロットコードおよび賞味期限の日付を取り出す。次に、このロットコードおよび賞味期限の日付を、食品が低温貯蔵庫か乾式貯蔵庫かのいずれかから取り出されたときに、食品鮮度ラベル上に印刷するのが良い。
【００３１】
図８に示されているように、プリンタ１０，２１０をペアにした後、受け入れ方法を完了させるのが良い。本方法が符号８００のところで開始し、ユーザは、符号８１０のところで手持ち型プリンタ／スキャナ装置２１０によりケースラベルをスキャンする。符号８２０のところで、スキャンされたデータをバーコードホストプリンタ１０に送り、このバーコードホストプリンタにおいて、スキャンされたデータは、ベンダー、商品番号、ロットまたはシリアルナンバー、および賞味期限の日付を得るためにアプリケーションプログラムによって処理される。食品調理の変換ステップのためにラベルを印刷する際にこのデータをホストバーコードプリンタ１０によって用いて食品のロットナンバーまたはシリアルナンバーおよび消費期限の日付を識別するのが良い。
【００３２】
符号８２５のとこで、ケースを開封する。ホストバーコードプリンタ１０上のアプリケーションは、符号８３０のところで内パックについて促す。イエスである場合、本方法は、符号８３５に進んで商品が食品調理のために食品貯蔵庫から取り出されたときにスキャンできる重要なデータ要素およびバーコードをラベルに印刷して施す。このラベルは、各内パックについて増分カウントを有する。符号８４０のところで、ユーザは、より多くの内パックラベルが必要であるかどうかを判定し、本方法は、カートが空になるまで続行する。符号８３０のところでカートン用の内パックが存在しない場合、本方法は、符号８５０に続き、ここで、手持ち型プリンタ／スキャナ装置２１０は、クリティカルトラッキングイベントについて必要とされる重要なデータ要素を含むカートンについて受け入れラベルを印刷する。次に、符号８４０および８５０のノーのブランチの両方は、商品を片付けるよう進む。
【００３３】
符号８４５のところで、低温貯蔵が必要であるかどうかは、ユーザによって判定され、あるいは、変形例として、ホストバーコードプリンタ１０上のアプリケーションプログラムは、受け入れた商品の適正な貯蔵方法を含むのが良い。低温貯蔵が必要ではない場合、本方法は、符号８５５に進み、ここで、内パックまたはケースが受け入れられ、次に、符号８６０のところで乾式貯蔵に移される。次に、本方法は、符号８８５のところで別のケースを受け入れるよう促すよう続く。イエスである場合、本方法は、符号８１０に戻ってやり直し、それ以上のケースが存在しない場合、本方法は、符号８９０のところで終了する。
【００３４】
符号８４５のところで、ユーザが低温貯蔵商品を受け取っていることが判定された場合、本方法は、符号８６５に進む。次に、符号８７０のところで、低温貯蔵商品が凍結状態または冷蔵下で貯蔵されるべきであるかどうかが判定される。低温貯蔵商品が凍結状態で貯蔵されるべき場合、本方法は、符号８８０に進み、商品は、フリーザー内に配置される。低温貯蔵商品が冷蔵下で貯蔵されるべき場合、本方法は、符号８７５に進み、商品は、冷蔵庫内に配置される。次に、本方法は、符号８８５に進んでより多くのケースは受け入れられるべきかどうかを判定する。イエスである場合、本方法は、符号８１０に進んでやり直され、ノーである場合、本方法は、符号８９０に進んで終了する。
【００３５】
上述した内容は、クレーム請求されている本発明の実施例を含む。当然のことながら、クレーム請求されている本発明を説明する目的でコンポーネントまたは方法のあらゆる想到可能な組み合わせを記載することは可能ではなく、当業者であれば、クレーム請求されている本発明の多くの別の組み合わせおよび並べ替えが可能であることを認識することができる。したがって、クレーム請求されている本発明が添付の特許請求の範囲に記載された本発明の精神および範囲に属するかかるすべての変更例、改造例および変形例を含むことが意図されている。さらに、原文明細書の詳細な説明または特許請求の範囲で用いられている“includes”（訳文では「〜を含む」としている場合が多い）という用語が用いられている場合、かかる用語は、“comprising”と（「〜を有する」としている場合が多い）という用語とほぼ同じように包括的であることが意図されており、と言うのは、“comprising”は、これが採用されている場合、特許請求の範囲において移行句として解されるからである。
【図１】
2020504950.tif 000003
【図２】
2020504950.tif 000004
【図３】
2020504950.tif 000005
【図４】
2020504950.tif 000006
【図５】
2020504950.tif 000007
【図６】
2020504950.tif 000008
【図７】
2020504950.tif 000009
【図８】
2020504950.tif 000010
【国際調査報告】
2020504950.tif 000011
2020504950.tif 000012